(57)【特許請求の範囲】
【請求項１】
他の通信機器と通信を行う通信手段と、
他の通信機器からの着信を、振動による着信通知を含む複数の通知方法で使用者に通知する着信通知手段と、
被写体像を撮像する撮像手段と、
カメラの状態を検出する検出手段と、
前記検出手段により、前記カメラが撮影動作中であることを検出したときに、振動による着信通知を禁止して着信通知の通知方法を変更する通知変更手段と、を備え、
前記通知変更手段は、前記着信通知手段により前記振動以外の通知方法で着信通知をしているときに、前記検出手段により撮影動作が完了したことが検出された場合には、前記振動による着信通知を許可することを特徴とする通信機能付きカメラ。
【請求項２】
他の通信機器と通信を行う通信手段と、
他の通信機器からの着信を複数の通知方法で使用者に通知する着信通知手段と、
被写体像を撮像する撮像手段と、
カメラの状態を検出する検出手段と、
前記検出手段により、前記カメラが撮影可能状態であることを検出したときに、所定の着信通知の通知方法を禁止して着信通知の通知方法を変更する通知変更手段と、を備え、
前記通知変更手段は、前記禁止した通知方法以外の通知方法で使用者に着信通知をしているときに、前記検出手段により撮影可能状態が完了したことが検出された場合には、前記禁止した通知方法を許可することを特徴とする通信機能付きカメラ。
【請求項３】
前記着信通知手段は振動による着信通知が可能であり、
前記検出手段により撮影可能状態であることを検出したときに、前記通知変更手段は、振動による着信通知を禁止し、
前記着信通知手段により前記振動以外の通知方法で着信通知をしているときに、前記検出手段により撮影可能状態が完了したことが検出された場合には、前記通知変更手段は、前記振動による着信通知を許可することを特徴とする請求項２に記載の通信機能付きカメラ。
【請求項４】
前記着信通知手段は、更に音または音声による着信通知が可能であり、
前記通知変更手段は、前記検出手段により画像と音声とを記録する撮影動作中であることを検出した場合に、振動による着信通知、及び音または音声による着信通知を禁止し、
前記着信通知手段により前記振動、及び音または音声以外の通知方法で着信通知をしているときに、前記検出手段により撮影動作が完了したことが検出された場合には、前記通知変更手段は、前記禁止した着信通知を許可することを特徴とする請求項１〜３のいずれか一つに記載の通信機能付きカメラ。
【発明の詳細な説明】
【技術分野】
【０００１】
本発明は、デジタルカメラ、銀塩カメラ、ビデオカメラ等に関し、特に通信機能を備えたカメラに関する。
【背景技術】
【０００２】
通信機能を持った携帯電話とデジタルカメラとを組み合わせた携帯電話機能搭載カメラが提案されている。
また、携帯電話単体として、使用者に着信を通知する手段として、音によって着信を通知する他に振動によって着信を通知する技術が知られている。
【発明の開示】
【発明が解決しようとする課題】
【０００３】
しかし、例えば、携帯電話とデジタルカメラとを組み合わせた通信機能付きカメラに、着信を振動により知らせる技術を採用した場合には、撮影中に着信した場合には、振動によって撮影画像がぶれてしまう。
また、音声を記録する動画像の撮影時、音声の録音時には、音による着信通知をすると着信音が音声とともに記録されてしまう。
【０００４】
本発明は、これら着信通知によって記録データに影響がない通信機能付きカメラ、逆に着信通知が行われている間に撮影を行っても記録データに影響がない通信機能付きカメラを提供することを目的とする。
【課題を解決するための手段】
【０００５】
本発明の通信機能付きカメラでは、他の通信機器と通信を行う通信手段と、他の通信機器からの着信を、振動による着信通知を含む複数の通知方法で使用者に通知する着信通知手段と、被写体像を撮像する撮像手段と、カメラの状態を検出する検出手段と、前記検出手段により撮影動作中であることを検出したときに、振動による着信通知を禁止して着信通知の通知方法を変更する通知変更手段と、を備え、前記通知変更手段は、前記着信通知手段により前記振動以外の通知方法で着信通知をしているときに、前記検出手段により撮影動作が完了したことが検出された場合には、前記振動による着信通知を許可する構成とした。
また、本発明の通信機能付きカメラでは、他の通信機器と通信を行う通信手段と、他の通信機器からの着信を複数の通知方法で使用者に通知する着信通知手段と、被写体像を撮像する撮像手段と、カメラの状態を検出する検出手段と、前記検出手段により、前記カメラが撮影可能状態であることを検出したときに、所定の着信通知の通知方法を禁止して着信通知の通知方法を変更する通知変更手段と、を備え、前記通知変更手段は、前記禁止した通知方法以外の通知方法で使用者に着信通知をしているときに、前記検出手段により撮影可能状態が完了したことが検出された場合には、前記禁止した通知方法を許可する構成とした。
【発明の効果】
【０００６】
以上のように本発明によれば、カメラの状態に応じて着信通知の通知方法を変える構成にしたので、撮影された画像データは着信通知によって悪影響を及ぼされることがない。
【発明を実施するための最良の形態】
【０００７】
以下、本発明の実施の形態を図面を参照しながら説明する。
図１は、本発明の実施の形態における通信機能付きカメラの外観図である。
図１において、通信機能付きカメラ（以下カメラ）１は、撮影レンズ２、スピーカ３、表示部４、撮影開始ボタン５、「Ｙｅｓ」ボタン６、「Ｎｏ」ボタン７、ダイヤルボタン８、モード切換ボタン９、マイク１０、アンテナ１１を備える。
【０００８】
撮影レンズ２は、被写体像を後述する撮像素子２０１に結像させるためのレンズであり、１８０度回転可能に設けられている。
スピーカ３は、電気信号を音声に変換するためのものである。表示部４は、ＬＣＤ等で構成され、画像情報、文字情報等、様々な情報を表示する。記録開始ボタン５は、モード切換ボタン９によるモード設定に応じて、様々な情報の記録を開始させるためのボタンである。「Ｙｅｓ」ボタン６、「Ｎｏ」ボタン７は、カメラからの問いかけに対して、使用者が意志に応じて操作するためのボタンである。ダイヤルボタン８は、電話番号を入力するために用いられるボタン群である。モード切換ボタン９は、電源オフ、通話モード、静止画撮影モード、動画像撮影モード、音声記録モードの各種モードを設定するためのボタン群である。マイク１０は、音声を電気信号に変換するためのものである。アンテナ１１は、電波の送受信を行うためのものである。
【０００９】
図２は、本発明の実施の形態におけるカメラ１の内部機構を示すブロック図である。
図２において、カメラ１内には、撮像素子２０１、画像処理回路２０２、フレームメモリ２０３、圧縮伸長回路２０４、フラッシュメモリ２０５、マイク回路２０６、音声処理回路２０７、スピーカ回路２０８、ＣＰＵ２０９、表示回路２１０、スイッチ回路２１１、振動回路２１２、電話回路２１３を備えている。
【００１０】
撮像素子２０１は、ＣＣＤ等の光電変換素子であり、被写体像を電気信号の画像データとして出力する。
画像処理回路２０２は、撮像素子２０１から出力された画像データに対して様々な画像処理を施す。
フレームメモリ２０３は、画像処理された画像データ、音声データを一時的に格納する揮発性の半導体メモリである。
【００１１】
圧縮伸長回路２０４は、画像データ、音声データを圧縮、伸長するための回路である。
フラッシュメモリ２０５は、画像データ、音声データを保存するために記録する不揮発性のメモリである。
マイク回路２０６は、マイク１０を駆動する回路である。
【００１２】
音声処理回路２０７は、マイク１０から入力された音声データに対して様々な処理を施す。
スピーカ回路２０８は、スピーカ３を駆動する回路である。
ＣＰＵ２０９は、本実施形態のカメラ１内の回路と電気的に接続されており、カメラ１における全ての制御を司る回路である。また、ＣＰＵ２０９は、タイマー、メモリを有する。メモリ内には使用者に通知する様々なガイドが予め記憶されている。
【００１３】
表示回路２１０は、表示部４を駆動する回路である。
スイッチ回路２１１は、スイッチ、ボタン類の操作状態をＣＰＵ２０９に伝達する回路である。
振動回路２１２は、電話の着信を振動により使用者に通知するために、カメラ１を信号させるための回路である。
【００１４】
電話回路２１３は、情報の送信、受信を行う電話機能を実現する回路である。
以下に、本発明の実施の形態におけるカメラのＣＰＵ２０９によりなされる制御を図３、４のフローチャート図を使用して詳細に説明する。
図３に示すフローチャートは、相手の電話からの呼び出し信号を着信することでスタートする。
【００１５】
ステップＳ１では、モード切換ボタン９により選択されているモードが静止画像撮影モードであるか否かを検出する。静止画像撮影モードであった場合にはステップＳ２に進み、静止画像撮影モードでなかった場合にはステップＳ１１に進む。
ステップＳ２では、振動、表示による着信通知を禁止し、音による着信通知を行うとともに、音声により通話相手を通知する。ここで、表示による着信通知も禁止した。これは、静止画撮影は構図等が重要である。表示による通知を行うと表示部４に表示された画像が少なからず隠れてしまうことを考慮したものである。しかし、表示による着信通知を行ってもよいことは言うまでもない。
【００１６】
ステップＳ３では、撮影または録音を中断して通話するかの音声ガイドを、ＣＰＵ内のメモリから読み出しスピーカ３から出力する。
ステップＳ４では、「Ｙｅｓ」ボタン６が押されたか否かを検出する。押されたことを検出した場合にはステップＳ５に進む。押されたことを検出しない場合にはステップＳ８に進む。
【００１７】
ステップＳ５では、撮影モードまたは音声記録モードから通話モードにに切り換え、相手との通話を可能にする。
ステップＳ６では、通話が終了したか否かを検出し、終了したことを検出した場合にはステップＳ７に進む。終了していない場合にはステップＳ６を繰り返し、通話の終了を検出し続ける。
【００１８】
ステップＳ７では、撮影モードまたは音声記録モードに戻る。
ステップＳ８では、ステップＳ４で「Ｙｅｓ」ボタン６が押されたことを検出しない場合に、「Ｎｏ」ボタン７が押されたか否かを検出する。押されたことを検出した場合にはステップＳ１０に進む。押されたことを検出しない場合にはステップＳ９に進む。
【００１９】
ステップＳ９では、ＣＰＵ内のタイマーにより着信から１０秒が経過したか否かを検出する。１０秒経過した場合にはステップＳ１０に進む。１０秒経過していない場合にはステップＳ３に戻る。
ステップＳ１０では、図４に示すフローを実行する。
ステップＳ１１では、ステップＳ１において静止画撮影モードでなかった場合に、動画像撮影モードまたは音声記録モードであるか否かを検出する。動画像撮影モードまたは音声記録モードであった場合にはステップＳ１２に進む。動画像撮影モードまたは音声記録モードでなかった場合にはステップＳ１９に進む。
【００２０】
ステップＳ１２では、動画像撮影モードにまたは音声記録モードにより、撮影中または録音中であるか否かを検出する。記録中である場合にはステップＳ１３に進む。記録中でない場合にはステップＳ２に進む。
ステップＳ１３では、振動及び音声による着信通知を禁止し、表示部４への表示による着信通知を行うとともに、通話相手を表示する。
【００２１】
ステップＳ１４では、撮影または録音を中断して通話するかのガイドを、ＣＰＵ内のメモリから読み出し表示部４に表示する。
ステップＳ１５では、撮影開始ボタン５が押されたか否かを検出する。押されたことを検出した場合にはステップＳ５に進む。押されたことを検出しない場合にはステップＳ１６に進む。
【００２２】
ステップＳ１６では、「Ｎｏ」ボタン７が押されたか否かを検出する。押されたことを検出した場合にはステップＳ１８に進む。押されたことを検出しない場合にはステップＳ１７に進む。
ステップＳ１７では、ＣＰＵ内のタイマーにより、着信から１０秒が経過したか否かを検出する。１０秒経過した場合にはステップＳ１８に進む。１０秒経過していない場合にはステップＳ１４に戻る。
【００２３】
ステップＳ１８では、図４に示すフローを実行する。
ステップＳ１９では、ステップＳ１において静止画撮影モードでなく、ステップＳ１１において動画像撮影モードまたは音声記録モードでないと判断されたので、振動、音、表示の着信を通知するとともに、通話相手を通知する。
ステップＳ２０では、通話を開始する。
【００２４】
ステップＳ２１では、通話が終了したか否かを検出する。終了していれば本フローを終了する。また、終了していなければステップＳ２０に戻り通話を継続する。
図４は、図３のステップＳ１０、ステップＳ１８で行われる制御を示すフローチャート図である。
【００２５】
ステップＳ２０１では、通話できない旨を相手側に通知し、メッセージを入れてもらうように通知する。
ステップＳ２０２では、相手の電話番号と相手がメッセージを送信してきた場合にはメッセージを記録する。ここで、メッセージはカメラ内のメモリに記憶することもできるし、電話会社の所定のメモリに記憶することもできる。
【００２６】
ステップＳ２０３では、撮影モードから通話モードに切り換えられたか否かを検出する。切り換えられたことを検出した場合にはステップＳ２０４に進む。切り換えられたことを検出しない場合には、撮影モードから通話モードに切り換えられることを検出し続ける。
ステップＳ２０４では、相手からのメッセージが記録されているか否かを検出する。メッセージが記録されている場合にはステップＳ２０５に進む。また、メッセージが記録されていない場合にはステップＳ２１０に進む。
【００２７】
ステップＳ２０５では、メッセージを聞くか否かを音声及び表示して通知する。
ステップＳ２０６では、「Ｙｅｓ」ボタン６が押されたか否かを検出する。押されたことが検出された場合にはステップＳ２０７に進む。押されたことが検出されない場合にはステップＳ２０８に進む。
【００２８】
ステップＳ２０７では、記録されたメッセージを再生して本フローを終了する。
ステップＳ２０８では、ステップＳ２０６で「Ｙｅｓ」ボタン６が押されたことを検出しない場合に、「Ｎｏ」ボタンが押されたか否かを検出する。押されたことを検出した場合には本フローを終了する。押されたことを検出しない場合にはステップＳ２０９に進む。
【００２９】
ステップＳ２０９では、タイマーにより、メッセージを聞くか通知してから１０秒が経過したか否かを検出する。１０秒経過した場合には本フローを終了する。１０秒経過していない場合にはステップＳ２０６に戻る。
ステップＳ２１０では、相手に電話するか否かを音声及び表示にて通知する。  ステップＳ２１１では、「Ｙｅｓ」ボタン６が押されたか否かを検出する。押されたことが検出された場合にはステップＳ２１２に進む。押されたことが検出されない場合にはステップＳ２１４に進む。
【００３０】
ステップＳ２１２では、記録された電話番号にダイヤルする。
ステップＳ２１３では、通話を開始する。
ステップＳ２１４では、通話が終了したか否かを検出する。終了していれば本フローを終了する。また、終了していなければステップＳ２１３に戻り通話を継続する。
【００３１】
ステップＳ２１５では、ステップＳ２１１で「Ｙｅｓ」ボタン６が押されたことを検出しない場合に、「Ｎｏ」ボタン７が押されたか否かを検出する。押されたことを検出した場合には本フローを終了する。押されたことを検出しない場合にはステップＳ２１６に進む。
ステップＳ２１６では、タイマーにより、相手に電話するか通知してから１０秒が経過したか否かを検出する。１０秒経過した場合には本フローを終了する。
１０秒経過していない場合にはステップＳ２１１に戻る。
【００３２】
以上のように本実施の形態によれば、静止画像の撮影中、スタンバイ中及び動画像撮影のスタンバイ中は振動による着信通知を禁止しているので、撮影画像がぶれてしまうことがない。また、動画像の撮影中は、振動、音による着信通知を禁止しているので、撮影中の画像がぶれてしまうこともなく、着信音を録音してしまうこともない。
【００３３】
また、撮影を中断して通話モードに移行した後に通話が終了したことに応じて撮影モードに戻るようにしたことにより、通話終了後、直ちに撮影を再開することができる。
また、撮影中に着信通知があったとき、撮影を停止する操作により、通話モードに移行できるので、撮影の停止後、直ちに通話することができる。
【００３４】
また、撮影中に着信したとき、自動的に相手に通話できない旨のメッセージを送信することにより、撮影を中断することなく相手に自分の状況を知らせることができる。
また、撮影中に着信したとき、自動的に相手の電話番号を記憶するので、撮影終了後に電話することができる。
【００３５】
また、撮影中に着信したとき、相手のメッセージを記憶できるようにしたので、撮影を中断することなく相手のメッセージを記憶でき、撮影後相手の要件を知ることができる。
次に、本発明の第２の実施形態について、図５を使用して説明する。
図５は本発明の第２実施形態におけるＣＰＵ２０９の制御手順を示すフローチャート図である。なお、第２実施形態におけるカメラの構成は、先の実施形態において説明したものと同一であるため、ここでは説明を省略する。
【００３６】
図５に示すフローチャートは、カメラ１が振動による着信通知が選択されている状態において、他の通信手段からの通信を受信した時点からスタートする。
ステップＳ３０１では、記録開始ボタン５及び撮像素子２０１の状態を検出し、カメラ１が撮影動作中であるか否かを判別する。記録開始ボタン５が撮像素子２０１に露光を行わせる全押し状態である場合、もしくは撮像素子２０１が記録開始ボタン５の全押し状態に応答した露光期間の最中である場合、カメラ１は撮影動作中であると判別し、ステップＳ３０２へ進む。また、記録開始ボタン５がオフ状態でかつ撮像素子２０１が露光期間中でない場合、カメラ１は撮影動作中ではないと判別し、ステップＳ３０８へ進む。
【００３７】
ステップＳ３０１でカメラ１が撮影動作中であると判別した場合ステップＳ３０２に進む。ステップＳ３０２では、振動回路２１２の駆動を禁止することにより振動による着信通知を禁止する。ステップＳ３０２の処理が終了するとステップＳ３０３に進む。
ステップＳ３０３では、カメラ１の着信通知の設定状態を検出し、設定状態から振動を除いた方法、もしくは使用者が設定した方法またはデフォルトで設定されている方法による着信通知を開始する。一例として、着信通知の方法が振動及び音に設定されている場合には、音のみによる着信通知を開始する。また他の例として、着信通知の方法が振動のみに設定されている場合には、振動以外の着信通知の中からデフォルトで設定されている方法による着信通知を開始する。デフォルトの着信通知が音あるいは音声による通知の場合には音あるいは音声による着信通知を開始し、デフォルトの着信通知が表示部４への表示による通知の場合には表示部４への着信通知メッセージの表示を開始する。ステップＳ３０３の処理が完了するとステップＳ３０４に進む。
【００３８】
ステップＳ３０４では、記録開始ボタン５及び撮像素子２０１の状態を検出し、撮影動作が完了したか否かを判別する。記録開始ボタン５がオフ状態でかつ撮像素子２０１が露光期間中でない場合、撮影動作は完了したと判別し、ステップＳ３０５に進む。また記録開始ボタン５が撮像素子２０１に露光を行わせる全押し状態の場合、もしくは撮像素子２０１が記録開始ボタン５の全押し状態に応答した露光期間の最中である場合、撮影動作は継続中であると判別し、ステップＳ３０４において待機する。
【００３９】
ステップＳ３０５では、振動回路２１２の駆動を許可することで振動による着信通知を許可する。ステップＳ３０５の処理が完了するとステップＳ３０６に進む。
ステップＳ３０６では、ステップＳ３０３において開始された着信通知が撮影動作完了後も継続しているか否かを判別する。着信通知が継続している場合はステップＳ３０７に進む。着信通知が完了している場合は本フローの処理を終了する。
【００４０】
ステップＳ３０７では、振動回路２１２を駆動し、振動による着信通知を開始する。なお、ステップＳ３０３で開始した振動以外の方法による着信通知に関しては、振動による着信通知が開始された時点で終了させても良いし、そのまま継続して通知を続けても良い。ステップＳ３０７の処理が完了すると本フローの処理を終了する。
【００４１】
ステップＳ３０１でカメラ１が撮影動作中で無いと判別した場合、ステップＳ３０８に進む。ステップＳ３０８では、振動回路２１２を駆動し、振動による着信通知を開始する。加えて、着信通知の設定を検出し、振動以外の方法の着信通知が設定されている場合には、その着信通知も開始する。ステップＳ３０８の処理が完了するとステップＳ３０９に進む。
【００４２】
ステップＳ３０９では、記録開始ボタン５の動作を無効にし、記録開始ボタン５がオン状態となっても撮像手段による記録を行わないように制御する。ステップＳ３０９の処理が完了するとステップＳ３１０に進む。
ステップＳ３１０では、ステップＳ３０８において開始された着信通知が終了したか否かを判別する。着信通知が終了している場合、ステップＳ３１１に進む。着信通知が終了していない場合、ステップＳ３１０において待機する。
【００４３】
ステップＳ３１１では、記録開始ボタン５の動作を有効にし、記録開始ボタンのオンにより撮影が行えるように制御する。ステップＳ３１１の処理が完了すると本フローの処理を終了する。
以上のように第２実施形態によれば、着信を受けた時点で撮影動作中か否かを判別し、撮影動作中であれば振動による着信通知を禁止しているので、撮影画像がぶれてしまうことがない。また、撮影動作中でなければ撮影モードにおける撮影待機状態のときも振動による着信通知を行うことができる。
【００４４】
また、振動による着信通知が行われている間は記録開始ボタン５の動作を無効にしているので、振動によりぶれた撮影画像を得る危険性を回避できる。
また、第２実施形態では、着信時に撮影動作中であるか否かという点で判別を行っているので、通話及び画像撮影について、動作モードの切り換えを特に行うことなく随時行うことが可能なタイプのカメラにも適用できる。
【００４５】
なお、第２実施形態における撮影動作の判別に関しては、記録開始ボタン５の状態が、撮像素子２０１に記録のための露光を行わせる全押し状態であるか否かで判別しているが、撮影動作の判別は第２実施形態で説明したものに限定されるものではなく、
記録開始ボタン５の状態がカメラ１に露光のための予備動作である合焦動作や測光動作等を行わせるいわゆる半押し状態であるか否かで判別しても良い。
【００４６】
なお、第２実施形態においては、非撮影動作時に振動による着信通知が行われている間は記録開始ボタン５の動作を無効にすることで撮像手段２０１による被写体撮影を禁止するよう制御している。しかし、振動による着信通知が行われている間の撮影動作に対する制御については、第２実施形態で説明したものに限定されるものではなく、振動による着信通知が行われている間は、撮像手段２０１からの画像信号出力を禁止するようにしても良いし、フラッシュメモリ２０５への記録を禁止するようにしても良い。
【００４７】
また、第２実施形態においては、非撮影動作時に振動による着信通知が行われている間は撮像手段２０１による被写体撮影を禁止するよう制御している。しかし、撮像手段２０１による被写体撮影は、事件・事故の証拠写真等の緊急性、即時性が必要とされる場面では、振動による着信通知が行われている最中であっても撮影可能であることが望ましい。そのため、振動による着信通知が行われている間に記録開始ボタン５が操作されオン状態となった場合には、ぶれにより撮影画像に影響が生じる可能性がある点を警告した上で撮影を許可するように制御しても良い。また、記録開始ボタン５と他の特定の操作部材とが組み合わせて操作された場合にのみ、振動による着信通知が行われている間でも撮影を許可するように制御しても良い。また、振動による着信通知が行われている間でも記録開始ボタン５の動作を有効とするよう予め設定できるモードを有しているようにしても良い。また、振動による着信通知が行われている間に撮影を行いたくなったら振動による着信通知を即座に解除できる操作手段を設けるようにしても良い。
【００４８】
なお、第２実施形態においては画像撮影のみを想定して実施形態を説明したため撮影動作中は振動による着信通知のみを禁止するように制御しているが、ビデオカメラ等の画像と同時に音声を記録することが可能な機器に関しては、撮影動作中は振動による着信通知の禁止だけでなく音又は音声による着信通知も禁止するように構成するようにしてもよい。
【００４９】
なお、第１及び第２の実施形態では、動画像、静止画像を撮影できる電子カメラについて説明したが、静止画のみ撮影できる電子カメラでも実現できる。また、銀塩フィルムに記録するフィルムカメラでも実現できる。
【図面の簡単な説明】
【００５０】
【図１】図１は、本発明の実施の形態における通信機能付きカメラの外観図である。
【図２】図２は、本発明の実施の形態におけるカメラ１の内部機構を示すブロック図である。
【図３】図３は、本発明の実施の形態におけるカメラのＣＰＵ２０９によりなされる制御を示すフローチャート図である。
【図４】図４は、図３のステップＳ１０、ステップＳ１８で行われる制御を示すフローチャート図である。
【図５】図５は、本発明の第２実施形態におけるカメラのＣＰＵ２０９によりなされる制御を示すフローチャート図である。
【符号の説明】
【００５１】
１・・・通信機能付きカメラ
２・・・撮影レンズ
３・・・スピーカ
４・・・表示部
５・・・撮影開始ボタン
６・・・「Ｙｅｓ」ボタン
７・・・「Ｎｏ」ボタン
８・・・ダイヤルボタン
９・・・モード切換ボタン
１０・・・マイク１０
１１・・・アンテナ
２０１・・・撮像素子
２０２・・・画像処理回路
２０３・・・フレームメモリ
２０４・・・圧縮伸長回路
２０５・・・フラッシュメモリ
２０６・・・マイク回路
２０７・・・音声処理回路
２０８・・・スピーカ回路
２０９・・・ＣＰＵ
２１０・・・表示回路
２１１・・・スイッチ回路
２１２・・・振動回路
２１３・・・電話回路
【図１】
0004497241.tif 000002
【図２】
0004497241.tif 000003
【図３】
0004497241.tif 000004
【図４】
0004497241.tif 000005
【図５】
0004497241.tif 000006